(57)【要約】      （修正有）【課題】放電針と対向極との距離を極力一定に保ちながら、清浄機能の低下を抑制できる空気調和機を提供する。【解決手段】放電極１５３ａと、対向極と、清掃部材１５２ｂとを備える。放電極１５３ａは、放電針１５５を有する。対向極は、放電極１５３ａに対向する。清掃部材１５２ｂは、放電針１５５の清掃を行う。放電針１５５は、対向極に対して略平行に配置される。清掃部材１５２ｂは、対向極に対して略平行に動き、放電針１５５の先端部に付着した付着物に接触することによって付着物を除去する。【選択図】図１０
2013011394.tif 000002
【特許請求の範囲】
【請求項１】
放電針（１５５）を有する放電極（１５３ａ）と、
前記放電極に対向する対向極（１５３ｂ）と、
前記放電針の清掃を行う清掃部材（１５２ｂ）と、
を備え、
前記放電針は、前記対向極に対して略平行に配置され、
前記清掃部材は、前記対向極に対して略平行に動き、前記放電針の先端部に付着した付着物に接触することによって前記付着物を除去する、
空気調和機（１）。
【請求項２】
前記清掃部材は、前記放電針の先端部に接触して前記放電針を通り過ぎるように動く、
請求項１に記載の空気調和機。
【請求項３】
前記清掃部材は、前記放電針の先端部に付着した付着物及び前記放電針の先端部に接触して前記放電針の先端部を弾性変形させることにより、前記付着物を除去する、
請求項１又は２に記載の空気調和機。
【請求項４】
前記放電極と前記対向極と前記清掃部材とは、本体（１０）に取り付けられる放電ユニットケーシング（５１）内に配置され、
前記放電ユニットケーシングは、
前記放電極及び前記対向極と前記清掃部材との一方が配置され、前記本体と一体化される第１放電ユニット構成部（５２）と、
前記放電極及び前記対向極と前記清掃部材との他方が配置され、前記第１放電ユニット構成部に対して着脱可能な第２放電ユニット構成部（５３）と、
を有し、
前記第２放電ユニット構成部が前記第１放電ユニット構成部に着脱されるときに、前記清掃部材が、前記放電針の先端部に付着した付着物を除去する、
請求項１〜３のいずれか１項に記載の空気調和機。
【請求項５】
前記放電針の直径は、０．３ｍｍ以下である、
請求項１〜４のいずれか１項に記載の空気調和機。
【発明の詳細な説明】
【技術分野】
【０００１】
本発明は、空気調和機に関する。
【背景技術】
【０００２】
従来、室内の空気を取り込んで、取り込んだ空気中の浮遊物（臭気成分、塵埃、菌、ウィルス等）の除去・分解を行うことで、清浄化した空気を室内へ吹き出す空気調和機が存在している。
【０００３】
例えば、特許文献１（特開２００５−３００１１１号公報）に開示の空気調和機では、針状の放電針を有する放電極、対向極等から構成される放電部で活性種を生成している。そして、活性種が室内から取り込んだ空気中に供給されることにより、浮遊物の除去・分解力を高めている。
【発明の概要】
【発明が解決しようとする課題】
【０００４】
特許文献１に開示の空気調和機では、放電部を通過する空気中の浮遊物が放電針に付着してしまうことが考えられる。放電針に付着物が付着すると、放電の発生が阻害され清浄機能が低下することが懸念されるため、当該状況を抑制できることが好ましい。
【０００５】
また、特許文献１に開示のような放電を行うためには、放電針と対向極との距離が一定に保たれることが好ましい。
【０００６】
そこで、本発明の課題は、放電針と対向極との距離を極力一定に保ちながら、清浄機能の低下を抑制できる空気調和機を提供することにある。
【課題を解決するための手段】
【０００７】
本発明の第１観点に係る空気調和機は、放電極と、対向極と、清掃部材とを備える。放電極は、放電針を有する。対向極は、放電極に対向する。清掃部材は、放電針の清掃を行う。放電針は、対向極に対して略平行に配置される。清掃部材は、対向極に対して略平行に動き、放電針の先端部に付着した付着物に接触することによって付着物を除去する。
【０００８】
本発明の第１観点に係る空気調和機では、放電針と対向極とが略平行となるように配置されている。また、清掃部材は、対向極に対して略平行に動く。これらにより、放電針と対向極との距離を維持しながら、放電針の清掃を行うことができる。すなわち、放電針と対向極との距離を極力一定に保ちながら、清浄機能の低下を抑制できる。
【０００９】
本発明の第２観点に係る空気調和機は、本発明の第１観点に係る空気調和機であって、清掃部材は、放電針の先端部に接触して放電針を通り過ぎるように動く。
【００１０】
本発明の第２観点に係る空気調和機では、清掃部材が放電針に接触して放電針を通り過ぎるので、より付着物を除去しやすい。
【００１１】
本発明の第３観点に係る空気調和機は、本発明の第１観点又は第２観点に係る空気調和機であって、清掃部材は、放電針の先端部に付着した付着物及び放電針の先端部に接触して放電針の先端部を弾性変形させることにより、付着物を除去する。
【００１２】
本発明の第３観点に係る空気調和機では、放電針の先端部を弾性変形させた後の元の位置に戻ろうとする際の弾性を利用することにより、放電針の先端部の付着物を弾き飛ばすことができる。よって、放電針に対する清掃効果をより向上できる。
【００１３】
本発明の第４観点に係る空気調和機は、本発明の第１観点〜第３観点のいずれかに係る空気調和機であって、放電極と対向極と清掃部材とは、本体に取り付けられる放電ユニットケーシング内に配置される。放電ユニットケーシングは、第１放電ユニット構成部と、第２放電ユニット構成部とを有する。第１放電ユニット構成部は、放電極及び対向極と清掃部材との一方が配置され、本体と一体化される。第２放電ユニット構成部は、放電極及び対向極と清掃部材との他方が配置され、第１放電ユニット構成部に対して着脱可能である。第２放電ユニット構成部が第１放電ユニット構成部に着脱されるときに、清掃部材が、放電針の先端部に付着した付着物を除去する。
【００１４】
本発明の第４観点に係る空気調和機では、第１放ユニット構成部の、本体と一体化される第２放電ユニット構成部への取り付けの際に、簡易に付着物の清掃を行うことができる。また、取り付けが行われる度に、付着物の清掃を行うことができる。特に、清掃部材が放電針を通り過ぎるような構成の場合は、第２放電ユニット構成部の本体への着脱時において、取り付け時と取り外し時との２回放電針の清掃を行えるので、より放電針に対する清掃効果を向上できる。
【００１５】
本発明の第５観点に係る空気調和機は、本発明の第１観点〜第４観点のいずれかに係る空気調和機であって、放電針の直径は、０．３ｍｍ以下である。
【００１６】
ここで、放電針と対向極との距離は、一定に保たれることが好ましいが、放電針のような細径のものは、曲がりやすいと考えられる。このため、放電針と対向極との距離が変わってしまうことが懸念される。
【００１７】
そこで、本発明の第５観点に係る空気調和機では、放電針のような細く曲がりやすいものであっても、放電針と対向極とを略平行に配置し、清掃部材を対向極に対して略平行に動くようにしているので、放電針と対向極との距離を極力一定に保つことができる。
【発明の効果】
【００１８】
本発明の第１観点に係る空気調和機では、放電針と対向極との距離を極力一定に保ちながら、清浄機能の低下を抑制できる。
【００１９】
本発明の第２観点に係る空気調和機では、より付着物を除去しやすい。
【００２０】
本発明の第３観点に係る空気調和機では、放電針の先端部の付着物を弾き飛ばすことができ、放電針に対する清掃効果をより向上できる。
【００２１】
本発明の第４観点に係る空気調和機では、より放電針に対する清掃効果を向上できる。
【００２２】
本発明の第５観点に係る空気調和機では、放電針のような細径のものであっても、放電針と対向極との距離を極力一定に保つことができる。
【図面の簡単な説明】
【００２３】
【図１】本発明の一実施形態に係る空気調和機の概略の外観斜視図。
【図２】空気調和機の分解斜視図。
【図３】前面パネル及び取付ユニットを外した状態の空気調和機の概略の正面図。
【図４】取付ユニットの分解斜視図。
【図５】放電部の平面図。
【図６】第２放電ユニット構成部が第１放電ユニット構成部から取り外された状態を示す、一部の放電ユニットケーシングの斜視図。
【図７】第２放電ユニット構成部が第１放電ユニット構成部に取り付けられた状態を示す、一部の放電ユニットケーシングの斜視図。
【図８】第２放電ユニット構成部が第１放電ユニット構成部から取り外された状態の、放電極及び清掃部材の平面図。
【図９】清掃部材と放電針とが接触している状態の、放電極及び清掃部材の平面図。
【図１０】放電針が弾性変形している状態の、放電極及び清掃部材の平面図。
【図１１】清掃部材が放電針を通り過ぎた後の、放電極及び清掃部材の平面図。
【図１２】第２放電ユニット構成部が第１放電ユニット構成部に取り付けられた状態の、放電極及び清掃部材の平面図。
【発明を実施するための形態】
【００２４】
以下、図面を参照しながら、本発明の一実施形態に係る空気調和機１について説明する。
【００２５】
（１）空気調和機１の概略構成
図１は、本発明の一実施形態に係る空気調和機１の概略の外観斜視図である。図２は、空気調和機１の分解斜視図である。図３は、前面パネル２０及び取付ユニット４を外した状態の空気調和機１の概略の正面図である。図４は、取付ユニット４の分解斜視図である。なお、以下の説明において、上、下、左、右、前、背面（後）といった方向を示す語句を用いているが、これらの方向は、特にことわりのない限り、図１に示す方向を意味する。
【００２６】
空気調和機１は、設置される空調空間（例えば、室内）の空気を清浄する空気清浄機能を有する。空気調和機１は、床置き型であり、図１や図２に示すように、本体１０と、前面パネル２０と、放電ユニット５０とから構成される。
【００２７】
（１−１）本体１０
本体１０は、図１に示すように、略直方体形状を有する。
【００２８】
本体１０には、空調空間の空気を吸い込むための吸込口１１ａ（図３を参照），１１ｂ（図１を参照）が形成されている。具体的には、吸込口１１ａ，１１ｂは、本体１０の両側面にそれぞれ形成されている。また、本体１０に前面パネル２０が取り付けられた状態において、本体１０と前面パネル２０との間には吸込空間１１ｃが形成されている。具体的には、吸込空間１１ｃは、本体１０の前方の下方部分且つ前面パネル２０の後方の下方部分に形成される。吸込空間１１ｃは、吸込口１１ａ、１１ｂと共に、空調空間の空気を吸い込む吸込口として機能する。すなわち、空気調和機１は、側方及び下方から空調空間の空気を吸い込んでいる。また、本体１０には、清浄化した空気を空調空間に吹き出すための吹出口１２が形成されている。具体的には、吹出口１２は、本体１０の上後方部分に形成されている。空気調和機１では、吸込口１１ａ，１１ｂ及び吸込空間１１ｃを介して本体１０内に吸い込まれた空気は、本体１０の内部において清浄化され、清浄化された空気は、吹出口１２を介して本体１０外に排出される。なお、以下では、吸込口１１ａ，１１ｂ及び吸込空間１１ｃを介して本体１０内に吸い込まれ、吹出口１２を介して本体１０外に吹き出される空気をメイン空気流（適宜、メイン空気流Ａと示す、図２を参照）という。
【００２９】
また、本体１０には、複数の小径の活性種供給開口１３（図２や図３を参照）が形成されている。これについては、後に説明する。なお、図２では、全ての活性種供給開口１３を示していない。
【００３０】
本体１０の内部には、主として、空気清浄ユニット２と、ファン３と、取付ユニット４と、制御ユニット（図示せず）とが配置されている。以下、これらについて説明する。
【００３１】
（１−１−１）空気清浄ユニット２
空気清浄ユニット２は、図２に示すように、主として、第１プレフィルタ（図示せず）と、イオン化部２２と、第２プレフィルタ２３と、ＨＥＰＡフィルタ２４と、脱臭フィルタ２５とを有している。これらは、メイン空気流Ａの上流側から下流側にかけて順に配置されている。
【００３２】
第１プレフィルタは、吸込口１１ａ，１１ｂ中に設けられており、吸込口１１ａ，１１ｂから吸い込まれた空気中の比較的大きな塵埃を捕捉する。
【００３３】
イオン化部２２は、第１プレフィルタで捕捉されなかった塵埃を帯電させる。具体的には、イオン化部２２では、一対の対向電極とその対向電極との間に配置されるイオン化線との間で放電を発生させることによって、塵埃を帯電させている。
【００３４】
第２プレフィルタ２３は、吸込口１１ａ，１１ｂ及び吸込空間１１ｃから吸い込まれた空気中の比較的大きな塵埃を捕捉する。
【００３５】
ＨＥＰＡフィルタ２４は、イオン化部２２で帯電された塵埃を吸着したり、吸込空間１１ｃから吸い込まれて第２プレフィルタ２３を通過した空気中の塵埃を吸着したりする。
【００３６】
脱臭フィルタ２５は、活性炭などを含んでおり、第１プレフィルタ、イオン化部２２、第２プレフィルタ２３、及び、ＨＥＰＡフィルタ２４を通過した空気中のニオイや有毒ガスを吸着して分解する。
【００３７】
（１−１−２）ファン３
ファン３は、空気清浄ユニット２のメイン空気流下流側に配置され、本体１０の背面側部分に取り付けられる。ファン３は、メイン空気流Ａを生成する機能を有する。具体的には、ファン３は、シロッコファンであり、空気清浄ユニット２を通過した空気を、回転軸が延びる方向から吸い込み、回転軸方向に対して鉛直方向に延びる方向に吹き出す。
【００３８】
（１−１−３）取付ユニット４
取付ユニット４は、空気清浄ユニット２及びファン３の上方に配置される。具体的には、図３に示すように、本体１０には、空気清浄ユニット２及びファン３の上方に、取付ユニット４を収容する収容空間Ｓ１が形成されている。取付ユニット４は、この収容空間Ｓ１に収容されてネジ止め等で固定されることで、本体１０に取り付けられている。取付ユニット４には、その後方から、吹出口１２から吹き出されるメイン空気流Ａの一部である分流Ａ１（図２や図４）が流入する。なお、図４に示す矢印は、分流Ａ１の流れを示している。
【００３９】
取付ユニット４は、図４に示すように、取付ユニット本体４０を有する。取付ユニット本体４０は、本体部４１と、本体部４１に取り付けられてネジ止めによって固定される蓋部４２とを有する。
【００４０】
本体部４１の背面の中央の領域には、分流Ａ１を取付ユニット４に流入させる（取り込む）ための流入口４３が形成されている。また、本体部４１の中央部且つ後方の領域には、流入口４３を介して取付ユニット４に流入した分流Ａ１を放電ユニット５０及び後述する接点部収容空間Ｓ２，Ｓ３に案内するための分流案内部４４が形成されている。分流案内部４４は、分流Ａ１の空気流れ上流側から下流側にかけて上方に傾斜している。
【００４１】
また、取付ユニット４には、複数の空間が形成されている。複数の空間のうち、分流案内部４４を挟んだ両側には、上述した接点部収容空間Ｓ２，Ｓ３が位置している。接点部収容空間Ｓ２，Ｓ３は、固定接点部４７ａ，４７ｂを収容する空間である。また、複数の空間のうち、本体部４１の中央部分且つ前方部分には、放電ユニット５０が収容される放電ユニット収容空間Ｓ４が位置している。
【００４２】
接点部収容空間Ｓ２，Ｓ３と放電ユニット収容空間Ｓ４とは隣接している。また、分流Ａ１の空気流れ上流側から下流側にかけて順に、接点部収容空間Ｓ２，Ｓ３、放電ユニット収容空間Ｓ４が位置している。接点部収容空間Ｓ２，Ｓ３と、放電ユニット収容空間Ｓ４とは、仕切り板４５によって仕切られている。仕切り板４５には、放電ユニット５０の差込接点部５２ａ，５２ｂ（後述する）を差込可能な差込開口４６ａ，４６ｂが形成されている。
【００４３】
また、本体部４１には、放電ユニット５０を通過する分流Ａ１を分流路（図示せず）へ導くための開口４９が形成されている（ここでは、本体部４１の左部に形成される開口４９のみ示すが、右部にも形成されている）。分流路とは、活性種供給開口１３に連通する空気流路であり、空気清浄ユニット２の両側に形成されている。また、活性種供給開口１３とは、メイン空気流Ａに、活性種が供給された分流Ａ１を導くための開口である。開口４９及び分流路によって、放電ユニット５０を通過する際に活性種が供給された分流Ａ１が、活性種供給開口１３へと導かれている。
【００４４】
（１−１−４）制御ユニット
制御ユニットは、ユーザが操作可能な操作部（図示せず）の下方に位置する複数の電装品から構成され、本体１０内の各種機器の動作を制御する。具体的には、制御ユニットは、操作部を介して入力されるユーザの指示に基づいて、空気清浄ユニット２、ファン３等を制御する。
【００４５】
（１−２）前面パネル２０
前面パネル２０は、図１に示すように、空気調和機１の前面を形成する部材であり、本体１０の前方から本体１０に対して取り付けられる。前面パネル２０は、本体１０の前面に対して着脱されることで本体１０を開放／遮蔽する機能を有する。
【００４６】
（１−３）放電ユニット５０
図５は、放電部１５３の平面図である。図６は、第２放電ユニット構成部５３が第１放電ユニット構成部５１から取り外された状態を示す、一部の放電ユニットケーシング５１の斜視図である。図７は、第２放電ユニット構成部５３が第１放電ユニット構成部５２に取り付けられた状態を示す、一部の放電ユニットケーシング５１の斜視図である。
【００４７】
放電ユニット５０は、ストリーマ放電を生起させることにより活性種を生成して、放電ユニット５０を通過する分流Ａ１に活性種を供給する。放電ユニット５０によって活性種が供給された分流Ａ１は、上述の活性種供給開口１３を介してメイン空気流Ａに吹き出されて合流する。具体的には、活性種が供給された分流Ａ１は、活性種供給開口１３を介して、第２プレフィルタ２３を通過する前の空気流に吹き出される。
【００４８】
放電ユニット５０は、図６や図７に示すように、放電ユニットケーシング５１を有する。放電ユニットケーシング５１は、樹脂から構成された直方体形状の部材であり、放電ユニット収容空間Ｓ４に合致する外形を有している。放電ユニットケーシング５１は、放電部１５３と、放電部１５３の放電針１５５（後述する）を清掃する清掃ユニット１５２（後述する）とを有している。具体的には、放電部１５３及び清掃ユニット１５２は、放電ユニットケーシング５１内に配置されている。
【００４９】
放電ユニットケーシング５１は、具体的には、第１放電ユニット構成部５２と、第１放電ユニット構成部５２に対して着脱可能な第２放電ユニット構成部５３とを有する。
【００５０】
（１−３−１）第１放電ユニット構成部５２
第１放電ユニット構成部５２は、取付ユニット４に固定されている。すなわち、第１放電ユニット構成部５２は、本体１０と一体化されている。
【００５１】
第１放電ユニット構成部５２の内面であって背面部分には、仕切り板４５に形成される差込開口４６ａ，４６ｂに対向する位置に、対向開口５１ａ，５１ｂが形成されている。当該対向開口５１ａ，５１ｂには、後述する放電極１５３ａ及び対向極１５３ｂにそれぞれ接続される差込接点部５２ａ，５２ｂのいずれかが、差し込まれる（本実施形態では、放電極１５３ａに接続される差込接点部５２ｂが対向開口５１ｂに差し込まれ、対向極１５３ｂに接続される差込接点部５２ａが対向開口５１ａに差し込まれる）。よって、第２放電ユニット構成部５３が第１放電ユニット構成部５１に取り付けられた状態においては、差込接点部５２ａは対向開口５１ｂ及び差込開口４６ｂを貫通して接点部収容空間Ｓ３に位置し、固定接点部４７ｂと接触した状態を採る。また、当該状態においては、差込接点部５２ｂは対向開口５１ａ及び差込開口４６ａを貫通して接点部収容空間Ｓ２に位置し、固定接点部４７ａと接触した状態を採る。そして、差込接点部５２ａ，５２ｂと固定接点部４７ａ，４７ｂとが接触した状態を採るときに、放電部１５３に電圧が供給される接点部が形成されている。
【００５２】
また、第１放電ユニット構成部５２には、清掃ユニット１５２が取り付けられている。清掃ユニット１５２は、放電極１５３ａの放電針１５５を清掃する役割を有し、取付部材１５２ａと、清掃部材１５２ｂとを有する。
【００５３】
取付部材１５２ａは、第１放電ユニット構成部５２の背面に取り付けられる樹脂製の部材であり、その先端部分の両側部分にそれぞれ、清掃部材１５２ｂが接続されている。
【００５４】
清掃部材１５２ｂは、放電針１５５の清掃を行う主要部材であり、樹脂から構成される。清掃部材１５２ｂは、平板形状を有し、左右方向に延びる幅広の平面部１５２ｂａが、前後方向に向く状態で取付部材１５２ａに接続されている。
【００５５】
（１−３−２）第２放電ユニット構成部５３
第２放電ユニット構成部５３には、放電部１５３が取り付けられている。
【００５６】
放電部１５３は、ストリーマ放電を生起し活性種を生成する主要部であり、放電極１５３ａと、対向極１５３ｂとを有する。
【００５７】
放電極１５３ａは、金属板１５４と、放電針１５５とを有する。
【００５８】
金属板１５４は、略直方形状を有し、第２放電ユニット構成部５３の上面に対して略平行となるように、ネジ１５６（図５を参照）によって、第２放電ユニット構成部５３の上面にネジ付けされている。この金属板１５４には、上述の差込接点部５２ｂが接続されている。差込接点部５２ｂは、放電ユニットケーシング５１の外面よりも外方に突出する位置まで延びている。差込接点部５２ｂは、その周りを、第１絶縁部材（図示せず）によって覆われている。
【００５９】
また、金属板１５４には、複数の（ここでは、３つの）切り起こし部１５４ａ，１５４ｂ，１５４ｃが形成されている。切り起こし部１５４ａ，１５４ｂ，１５４ｃは、長尺で幅広の平面部１５４ｄから下方に向かって（すなわち、鉛直下方に）延びている。
【００６０】
放電針１５５は、細径の円柱形状を有し、弾性変形可能な金属部材（具体的には、例えば、タングステン等）から構成される。放電針１５５は、切り起こし部１５４ａ，１５４ｂ，１５４ｃのそれぞれ両側部分から側方に向かって（左右方向に）延びている。放電針１５５の直径は、０．３ｍｍ以下であり、好ましくは、０．２ｍｍ以下である。また、放電針１５５の長さは、３．０ｍｍ〜３．５ｍｍが好ましい。当該放電針１５５に電圧が印加されることによって、対向極１５３ｂとの間でストリーマ放電が生じるようになっている。
【００６１】
対向極１５３ｂは、金属板から構成されており、放電極１５３ａよりも大きな略長方形の外形を有する。対向極１５３ｂは、放電極１５３ａと離間して配置されるように、ネジ１５７（図５を参照）によって、第２放電ユニット構成部５３の上面にネジ付けされている。また、対向極１５３ｂは、対向極１５３ｂは、放電極１５３ａに対向するように（具体的には、略平行となるように）配置されている。また、対向極１５３ｂは、放電針１５５とも略平行になるように配置されている。対向極１５３ｂに接続される差込接点部５２ａは、放電ユニットケーシング５１の外面よりも外方に突出する位置まで延びている。差込接点部５２ａは、その周りを、第２絶縁部材（図示せず）によって覆われている。
【００６２】
本実施形態では、第２放電ユニット構成部５３が第１放電ユニット構成部５２に着脱されるときに、清掃部材１５２ｂと放電針１５５の先端部とが接触する先端部接触状態を採って清掃部材１５２ｂが放電針１５５の清掃を行っている。清掃部材１５２ｂの放電針１５５に対する清掃動作については、後に詳述する。
【００６３】
（２）空気調和機１の動作
ファンモータの駆動によりファン３が回転している状態では、上述したメイン空気流Ａが生成される。具体的には、まず、空調空間の空気が本体１０の吸込口１１ａ，１１ｂ及び吸込空間１１ｃを介して本体１０内に流入する。そして、吸込口１１ａ，１１ｂ及び吸込空間１１ｃを介して本体１０内に流入した空気流は、空気清浄ユニット２を通過する際に、比較的大きな塵埃、微細な塵埃、ニオイ等が除去される。ここで、放電ユニット５０を通過することによって活性種が供給された分流Ａ１が、第２プレフィルタ２３を通過する前の空気流に吹き出されるので、第２プレフィルタ２３を通過する空気流は活性種を含んでいる。よって、第２プレフィルタ２３よりもメイン空気流下流側に位置するＨＥＰＡフィルタ２４や脱臭フィルタ２５に吸着された塵埃やニオイは、第２プレフィルタ２３を通過する空気流に含まれる活性種によって分解される。
【００６４】
そして、空気清浄ユニット２で清浄化された空気流は、ファン３の回転軸方向から、ファン吸込口（図示せず）を介して、ファン３に流入する。ファン３に流入した空気流は、上方に方向転換され、ファン導出口（図示せず）を介して吹出口１２へと導かれる。吹出口１２へと導かれた空気流は、吹出口１２を介して上方に吹き出される、すなわち、本体１０の外部である空調空間に供給される。なお、当該吹出口１２を介して吹き出された空気流の一部は、ファン３の風圧によって分流Ａ１として流入口４３を介して取付ユニット４へと流れる。取付ユニット４へと流れた分流Ａ１は、放電ユニット５０を通過して、開口４９を介して分流路へと流れる。分流路へ流れた分流Ａ１は、活性種供給開口１３を介して第２プレフィルタ２３を通過する前の空気流に合流する。
【００６５】
（３）清掃部材１５２ｂの放電針１５５に対する清掃動作
図８〜図１２は、第２放電ユニット構成部５３の第１放電ユニット構成部５２への取り付け過程を示すための図である。
【００６６】
まず、図６や図８に示すように、第２放電ユニット構成部５３が第１放電ユニット構成部５２から取り外された状態においては、清掃部材１５２ｂは、放電針１５５に非接触であり且つ放電針１５５よりも後方に位置する第１非接触状態を採る。
【００６７】
次に、図９に示すように、第２放電ユニット構成部５３が第１放電ユニット構成部５２へと取り付けられていくときに、清掃部材１５２ｂは、放電針１５５の先端部に接触する先端部接触状態を採る。ここでは、清掃部材１５２ｂが放電針１５５の先端部に接触することによって、放電針１５５の先端部に付着した付着物にも接触する。これにより、清掃部材１５２ｂは、放電針１５５の先端部に付着した付着物を除去できる。なお、本実施形態では、放電針１５５の先端部とは、放電針１５５の先端から内側に向かって１〜１．５ｍｍの位置までをいう。
【００６８】
先端部接触状態から、さらに、第２放電ユニット構成部５３が第１放電ユニット構成部５２に対して進んでいくと、図１０に示すように、清掃部材１５２ｂは放電針１５６に押し当てられていく。このとき、放電針１５５は、清掃部材１５２ｂに押し当てられることによって前方へと湾曲する湾曲状態を採る。このとき、放電針１５５は、対向極１５３ｂに対して略平行の状態を維持したまま、上記湾曲状態を採っている。すなわち、放電針１５５が湾曲状態を採ったとしても、放電針１５５と対向極１５３ｂとの距離ｄ（図６を参照）はほぼ一定に保たれる。
【００６９】
ここで、放電針１５５は、清掃部材１５２ｂと略平行の位置関係を保ったまま、清掃部材１５２ｂに向かって動いている。すなわち、清掃部材１５２ｂは、対向極１５３ｂに対して略平行に動いている。なお、上記の「対向極１５３ｂに対して略平行に動く」とは、本実施形態のように、「対向極１５３ｂに対して相対的に動く」といった意味を含むものとする。
【００７０】
そして、さらに、第２放電ユニット構成部５３が第１放電ユニット構成部５２に対して進んでいくと、放電針１５５は、清掃部材１５２ｂを通り過ぎて後方へと移動していく。すなわち、清掃部材１５２ｂは、放電針１５６を通り過ぎるように動く。放電針１５５が清掃部材１５２ｂを通り過ぎていく過程では、放電針１５５が弾性変形可能な部材であることから、湾曲状態から元の状態（第１非接触状態における放電針１５５）へと変化する。ここでは、放電針１５５の弾性をさらに利用することにより、放電針１５５の先端部に付着した付着物を弾き飛ばして除去している。また、ここでは、放電針１５５は、自ら清掃部材１５２ｂと接触する状態を採りに行き、その清掃部材１５２ｂを通り過ぎることによってセルフクリーニングを行っている。
【００７１】
そして、第２放電ユニット構成部５３が第１放電ユニット構成部５２に対してさらに進んでいくと、図７や図１２に示すように、第２放電ユニット構成部５３が第１放電ユニット構成部５２に取り付けられた状態になる。このとき、清掃部材１５２ｂは、放電針１５５に非接触であり、放電針１５５よりも前方に位置する第２非接触状態を採り、放電針１５６に対向している。
【００７２】
なお、第２放電ユニット構成部５３を第１放電ユニット構成部５２から外す際は、上記と逆になり、清掃部材１５２ｂは、第２非接触状態から、先端部接触状態を経て、第１非接触状態へと変化していく。
【００７３】
（４）特徴
（４−１）
空調空間の状態によっては、放電部を通過する空気中の浮遊物が放電針に付着してしまうことが考えられる。放電針に付着物が付着すると、放電の発生が阻害され清浄機能が低下することが懸念されるため、当該状況を抑制できることが好ましい。
【００７４】
また、特許文献１（特開２００５−３００１１１号公報）に開示のような放電を行うためには、放電針と対向極との距離が一定に保たれることが好ましい。
【００７５】
そこで、本実施形態では、放電針１５５が対向極１５３ｂと略平行となるように配置し、且つ、その状態を維持しながら、放電針１５５が清掃部材１５２ｂに向かって動くようにしている。すなわち、清掃部材１５２ｂは、対向極１５３ｂに対して相対的に略平行に動く。これにより、放電針１５５の先端部に清掃部材１５２ｂが接触する先端部接触状態を採り、放電針１５５が曲がったとしても、放電針１５５と対向極１５３ｂとの距離ｄは極力一定になる。
【００７６】
また、放電針１５５が清掃部材１５２ｂと接触状態を採ることにより、清掃部材１５２ｂが放電針１５５の先端部に付着した付着物を除去している。
【００７７】
以上のように、本実施形態では、放電針１５５と対向極１５３ｂとの距離ｄを極力一定に保ちながら、放電針１５５の先端部に付着した付着物を除去できる。
【００７８】
（４−２）
本実施形態では、放電針１５５は、清掃部材１５２ｂを通り過ぎるように動く。すなわち、清掃部材１５２ｂは、放電針１５５の先端部が接触して放電針１５５を通り過ぎるように、放電針１５５に対して相対的に動いている。
【００７９】
これにより、先端部接触状態を採るときよりも、放電針１５５の先端部に付着した付着物をより除去できる。
【００８０】
（４−３）
本実施形態では、清掃部材１５２ｂは、放電針１５５に付着した付着物及び放電針１５５の先端部に接触して放電針１５５の先端部を弾性変形させて湾曲状態を採らせるようにしている。
【００８１】
ここでは、放電針１５５の弾性を利用することにより、放電針１５５の先端部に付着した付着物を弾き飛ばして除去している。よって、先端部接触状態のときよりも、より付着物を除去できる。
【００８２】
なお、ここでは、放電針１５５が湾曲状態を採ったとしても、放電針１５５は対向極１５３ｂに対して略平行の状態を維持できているので、放電針１５５と対向極１５３ｂとの距離ｄはほぼ一定に保たれたままである。
【００８３】
（４−４）
本実施形態では、第１放電ユニット構成部５２は、本体１０と一体化されている。そして、第２放電ユニット構成部５３は、第１放電ユニット構成部５２に対して着脱可能に構成されている。また、第２放電ユニット構成部５３が第１放電ユニット構成部５２に着脱されるときに、清掃部材１５２ｂが放電針１５５の先端部に付着した付着物を除去する。
【００８４】
これにより、第２放電ユニット構成部５３の第１放電ユニット構成部５２（ひいては、本体１０）への取り付け及び取り外しが行われる度に、放電針１５５の先端部に付着した付着物の清掃を行うことができる。また、取り付けや取り外しの際付着物の清掃を行うことができるので、簡易である。
【００８５】
（４−５）
放電針１５５のような細径（０．３ｍｍ以下であり、好ましくは、０．２ｍｍ以下である）のものは、曲がりやすいと考えられる。このため、従来の技術では、放電針１５５と対向極１５３ｂとの距離が変わってしまうことが懸念される。一方、本実施形態では、放電針１５５と対向極１５３ｂとを略平行に配置し、清掃部材１５２ｂを対向極１５３ｂに対して略平行に動くようにしているので、放電針１５５と対向極１５３ｂとの距離ｄを極力一定に保つことができる。
【００８６】
（５）変形例
以上、本発明の実施形態について図面に基づいて説明したが、具体的な構成は、上記の実施形態に限られるものではなく、発明の要旨を逸脱しない範囲で変更可能である。
【００８７】
（５−１）変形例１Ａ
上記実施形態では、第１放電ユニット構成部５２に清掃ユニット１５２が取り付けられており、第２放電ユニット構成部５３に放電部１５３が取り付けられているが、これに限られるものではなく、逆であってもよい。すなわち、放電部１５３が固定されており、清掃ユニット１５２が放電部１５３に対して動いていく構成となる。この場合であっても、上記と同様の効果を奏する。
【００８８】
（５−２）変形例１Ｂ
上記実施形態では、放電針１５５は、清掃部材１５２ｂを通り過ぎて行く構成を採っているが、これに限られるものではない。少なくとも、放電針１５５の先端部と清掃部材１５２ｂとが接触する先端部接触状態を採りさえすれば、放電針１５５の清掃を行うことができるため、第２放電ユニット構成部５３が第１放電ユニット構成部５２に取り付けられた状態において、先端部接触状態を採るような構成であってもよい。
【００８９】
この場合、第２放電ユニット構成部５３が第１放電ユニット構成部５２に取り付けられる度に、放電針１５５の先端部に付着した付着物の清掃を行うことができる。
【００９０】
（５−３）変形例１Ｃ
上記実施形態では、清掃部材１５２ｂは、平板形状を有する部材であると説明したが、これに限られるものではない。例えば、ブラシのようなものであってもよい。
【００９１】
（５−４）変形例１Ｄ
上記実施形態以外にも、放電針１５５を清掃する清掃部材の構成は考えられる。例えば、清掃部材を放電針１５５の延びる延長線上に配置し、当該清掃部材が放電針１５５に対して動くような構成であってもよい。この場合、清掃部材は、例えば、放電針１５５の直径よりも大きい直径を有し中空の形状を有する部材であることが好ましい。このような構成であれば、清掃部材が放電針１５５に対して動いた場合に、中空を形成する清掃部材の内面が放電針１５５の先端部に付着した付着物に接触するので、当該付着物を除去しやすい。
【００９２】
（５−５）変形例１Ｅ
上記実施形態では、空気清浄機能を有する床置き型の空気調和機に限って説明したが、これに限られるものではない。
【００９３】
例えば、加湿機能や除湿機能をさらに有する空気調和機に適用してもよいし、天井に埋め込まれたり吊り下げられたりする天井取付型の空気調和機や、壁に埋め込まれたり取り付けられたりする壁取付型の空気調和機に適用してもよい。
【産業上の利用可能性】
【００９４】
本発明は、放電が行われる種々の空気調和機に適用可能である。
【符号の説明】
【００９５】
１          空気調和機
１０        本体
５１        放電ユニットケーシング
５２        第１放電ユニット構成部
５３        第２放電ユニット構成部
１５２ｂ    清掃部材
１５３ａ    放電極
１５３ｂ    対向極
１５５      放電針
【先行技術文献】
【特許文献】
【００９６】
【特許文献１】特開２００５−３００１１１号公報
【図１】
2013011394.tif 000003
【図２】
2013011394.tif 000004
【図３】
2013011394.tif 000005
【図４】
2013011394.tif 000006
【図５】
2013011394.tif 000007
【図６】
2013011394.tif 000008
【図７】
2013011394.tif 000009
【図８】
2013011394.tif 000010
【図９】
2013011394.tif 000011
【図１０】
2013011394.tif 000012
【図１１】
2013011394.tif 000013
【図１２】
2013011394.tif 000014